(57)【要約】【課題】本発明の目的は、施工作業性の向上を図ったスラブ形成用型枠構造体、及び床スラブの構築方法を提供することにある。【解決手段】スラブ形成用型枠構造体１は、床スラブＹを形成するためのものであり、上面にコンクリートＣが打設されるパネル３が設置される枠状部４と、該枠状部を支持する支柱６と、を備え、枠状部が、相互に離間して配置された一対の横材７、７と、横材の軸方向に離間して平行配置されているとともに、一対の横材のうち一方に固定された複数の第１縦材８と、横材の軸方向に離間して平行配置されているとともに、一対の横材のうち他方に固定された複数の第２縦材９と、を有し、第１縦材と第２縦材とが互いの長手方向にスライド可能に設けられ、スライドされた任意の位置で固定可能に設けられている。【選択図】図２
2019116787.tif 000002
【特許請求の範囲】
【請求項１】
床スラブを形成するためのスラブ形成用型枠構造体であって、
上面にコンクリートが打設されるパネルが設置される枠状部と、
該枠状部を支持する支柱と、を備え、
前記枠状部が、相互に離間して配置された一対の横材と、前記横材の軸方向に離間して平行配置されているとともに、前記一対の横材のうち一方に固定された複数の第１縦材と、前記横材の軸方向に離間して平行配置されているとともに、前記一対の横材のうち他方に固定された複数の第２縦材と、を有し、
前記第１縦材と前記第２縦材とが互いの長手方向にスライド可能に設けられ、スライドされた任意の位置で固定可能に設けられていることを特徴とするスラブ形成用型枠構造体。
【請求項２】
前記支柱には前記横材が設置される設置台が設けられ、
前記設置台と前記横材とを位置決めするための第１位置決め部が、前記設置台と前記横材とのうち少なくとも何れか一方に設けられていることを特徴とする請求項１に記載のスラブ形成用型枠構造体。
【請求項３】
前記枠状部が複数設けられ、
隣接する前記横材同士を軸方向に連結する連結台を有し、
前記連結台には、前記軸方向に対向配置された前記横材の各端部が載置される板状の台座と、前記軸方向に直交する方向に対向配置されて、互いの間に前記隣接する前記横材を位置決めする立設壁部と、が設けられていることを特徴とする請求項１または請求項２に記載のスラブ形成用型枠構造体。
【請求項４】
前記支柱には前記連結台が設置される設置台が設けられ、
前記設置台と前記連結台とを位置決めするための第２位置決め部が、前記設置台と前記連結台とのうち少なくとも何れか一方に設けられていることを特徴とする請求項３に記載のスラブ形成用型枠構造体。
【請求項５】
前記第１縦材と前記第２縦材とのうち何れか一方の先端部に着脱可能な先端部品を有し、
前記先端部品には、前記第１縦材及び前記第２縦材の軸に対して略垂直に立ち上がる立ち上がり部が設けられていることを特徴とする請求項１〜請求項４のうち何れか一項に記載のスラブ形成用型枠構造体。
【請求項６】
前記第１縦材と前記第２縦材とのうち何れか一方から他方に向けて突出形成されて、前記他方に当接する当接部が複数設けられていることを特徴とする請求項１〜請求項５のうち何れか一項に記載のスラブ形成用型枠構造体。
【請求項７】
請求項１〜請求項６のうち何れか一項に記載のスラブ形成用型枠構造体を用いた床スラブの構築方法であって、
前記第１縦材と前記第２縦材とのうち何れか一方を他方に対してスライドさせて、任意の位置で前記第１縦材と前記第２縦材とを互いに固定して前記枠状部を形成し、
形成した前記枠状部を前記支柱で支持し、前記枠状部の上に前記パネルを設置して、前記パネルの上にコンクリートを打設することを特徴とする床スラブの構築方法。
【発明の詳細な説明】
【技術分野】
【０００１】
本発明は、スラブ形成用型枠構造体、及び床スラブの構築方法に関する。
【背景技術】
【０００２】
従来、基礎部や下階の床スラブから上方に離れた位置にコンクリートを打設して床スラブを形成するためにコンクリート構造物構築用型枠が用いられている（例えば、特許文献１参照）。特許文献１に開示された従来のコンクリート構造物構築用型枠は、図１４、図１５に示すように、上面にコンクリートＣが打設される堰板１０２と、この堰板１０２を支保する複数の大引１０３、根太１０４、及びパイプサポート１０５と、を備えて構成されている。ここで、このようなコンクリート構造物構築用型枠１００を構築する際には、基礎部１０１から立設したパイプサポート１０５の上に大引１０３を設置し、大引１０３の上に大引１０３の長手方向と直交するように根太１０４を設置して、根太１０４の上に堰板１０２を敷き詰めて、これらを固定する。そして、堰板１０２の上面にコンクリートＣを打設して床スラブＹを形成していた。
【０００３】
また、近年では、大引及び根太を予め一体に接合して形成されたスラブ型枠も利用されている（例えば、特許文献２参照）。特許文献２には、各建築物により形成する床スラブの大きさ（面積）が異なることから、サイズの異なる複数種のスラブ型枠を用いて、所望の大きさの床スラブを形成する技術が記載されている。
【先行技術文献】
【特許文献】
【０００４】
【特許文献１】特開２０１６−８４６０３号公報
【特許文献２】特表２００９−５００５４２号公報
【発明の概要】
【発明が解決しようとする課題】
【０００５】
しかしながら、特許文献２に記載された従来のスラブ型枠を用いて床スラブを形成する場合には、サイズの異なる複数種のスラブ型枠を用いることから、施工作業が煩雑になる場合があった。即ち、施工作業性が悪かった。
【０００６】
本発明の目的は、施工作業性の向上を図ったスラブ形成用型枠構造体、及び床スラブの構築方法を提供することにある。
【課題を解決するための手段】
【０００７】
上記目的は、以下の本発明によって解決される。
即ち、本発明は、床スラブを形成するためのスラブ形成用型枠構造体であって、上面にコンクリートが打設されるパネルが設置される枠状部と、該枠状部を支持する支柱と、を備え、前記枠状部が、相互に離間して配置された一対の横材と、前記横材の軸方向に離間して平行配置されているとともに、前記一対の横材のうち一方に固定された複数の第１縦材と、前記横材の軸方向に離間して平行配置されているとともに、前記一対の横材のうち他方に固定された複数の第２縦材と、を有し、前記第１縦材と前記第２縦材とが互いの長手方向にスライド可能に設けられ、スライドされた任意の位置で固定可能に設けられていることを特徴とするものである。
【０００８】
以上のような本発明によれば、第１縦材と第２縦材とが互いの長手方向にスライド可能に設けられ、スライドされた任意の位置で固定可能に設けられている。即ち、第１縦材と第２縦材とがスライド伸縮可能に設けられているから、第１縦材と第２縦材とをスライド伸縮させて、第１縦材及び第２縦材の軸寸法を調節することで、種々の大きさの枠状部を形成することができる。このように、第１縦材及び第２縦材の軸寸法を調節した枠状部を用いることで、種々の大きさの床スラブに対応させることができる。これにより、施工作業性の向上を図ることができる。また、枠状部が、一対の横材のうち一方に固定された複数の第１縦材と、一対の横材のうち他方に固定された複数の第２縦材と、を有し、第１縦材と第２縦材とが互いの長手方向にスライド可能に設けられ、スライドされた任意の位置で固定可能に設けられているので、各部材が飛散する等が防止され、安全性の向上を図ることができる。
【０００９】
また、本発明においては、前記支柱には前記横材が設置される設置台が設けられ、前記設置台と前記横材とを位置決めするための第１位置決め部が、前記設置台と前記横材とのうち少なくとも何れか一方に設けられているのが好ましい。
【００１０】
これによれば、設置台と横材とのうち少なくとも何れか一方に第１位置決め部が設けられていることで、支柱の設置台と横材とを適切な位置に位置決めすることができる。
【００１１】
また、本発明においては、前記枠状部が複数設けられ、隣接する前記横材同士を軸方向に連結する連結台を有し、前記連結台には、前記軸方向に対向配置された前記横材の各端部が載置される板状の台座と、前記軸方向に直交する方向に対向配置されて、互いの間に前記隣接する前記横材を位置決めする立設壁部と、が設けられていることが好ましい。
【００１２】
これによれば、隣接する一対の横材が台座に載置された状態で、隣接する横材を立設壁部間に進入させつつ台座に載置させることで、隣接する一対の横材を適切な位置に位置決めすることができる。
【００１３】
また、本発明においては、前記支柱には前記連結台が設置される設置台が設けられ、  前記設置台と前記連結台とを位置決めするための第２位置決め部が、前記設置台と前記連結台とのうち少なくとも何れか一方に設けられていることが好ましい。
【００１４】
これによれば、設置台と連結台とのうち少なくとも何れか一方に第２位置決め部が設けられていることで、支柱の設置台と連結台とを適切な位置に位置決めすることができる。
【００１５】
また、本発明においては、前記第１縦材と前記第２縦材とのうち何れか一方の先端部に着脱可能な先端部品を有し、前記先端部品には、前記第１縦材及び前記第２縦材の軸に対して略垂直に立ち上がる立ち上がり部が設けられていることが好ましい。
【００１６】
これによれば、第１縦材と第２縦材とのうち何れか一方の先端部に着脱可能な先端部品を有し、第１縦材と第２縦材とのうち何れか一方の先端部に先端部品を装着することで、例えばバルコニーの立上がり壁を含む床スラブを形成するためのスラブ形成用型枠構造体とすることができる。このように先端部品を着脱することで、スラブ形成用型枠構造体を、種々の場所の床スラブに共通して用いることができるから、複数種のスラブ形成用型枠構造体を製造し管理する場合に比して、製造コストや管理コストの低減をより一層、図ることができる。
【００１７】
また、本発明においては、第１縦材と第２縦材とのうち何れか一方から他方に向けて突出形成されて、他方に当接する当接部が複数設けられていることが好ましい。
【００１８】
これによれば、複数の当接部が設けられていることで、第１縦材と第２縦材とのうち何れか一方が他方に対して、当接部の突出方向に位置決めされる。また、当接部が設けられていることで、第１縦材と第２縦材の接触面積が小さくされるから、小さな力で、第１縦材と第２縦材とのうち何れか一方が他方に対してスライド移動させることができる。従って、作業性の向上を図ることができる。
【００１９】
また、本発明によれば、請求項１〜請求項６のうち何れか一項に記載のスラブ形成用型枠構造体を用いた床スラブの構築方法であって、前記第１縦材と前記第２縦材とのうち何れか一方を他方に対してスライドさせて、任意の位置で前記第１縦材と前記第２縦材とを互いに固定して前記枠状部を形成し、形成した前記枠状部を前記支柱で支持し、前記枠状部の上に前記パネルを設置して、前記パネルの上にコンクリートを打設することを特徴とする床スラブの構築方法である。
【００２０】
これによれば、前記第１縦材と前記第２縦材とのうち何れか一方を他方に対してスライドさせて、任意の位置で前記第１縦材と前記第２縦材とを互いに固定して前記枠状部を形成する。このように、第１縦材及び第２縦材の軸寸法を調節した枠状部を用いることで、種々の大きさの床スラブに対応させることができる。従って、複数種のスラブ形成用型枠構造体を製造し管理する場合に比して、製造コストや管理コストの低減を図ることができる。
【発明の効果】
【００２１】
本発明によれば、第１縦材及び第２縦材の軸寸法を調節することで、種々の大きさの枠状部を形成することができる。これにより、枠状部を種々の大きさの床スラブに対応させることができるから、施工作業性の向上を図ることができる。また、枠状部が、一対の横材のうち一方に固定された複数の第１縦材と、一対の横材のうち他方に固定された複数の第２縦材と、を有し、第１縦材と第２縦材とが互いの長手方向にスライド可能に設けられ、スライドされた任意の位置で固定可能に設けられているので、各部材が飛散する等が防止され、安全性の向上を図ることができる。
【図面の簡単な説明】
【００２２】
【図１】本発明の一実施の形態にかかるスラブ形成用型枠構造体を用いて形成された床スラブを示す側面図である。
【図２】前記スラブ形成用型枠構造体を示す斜視図である。
【図３】前記スラブ形成用型枠構造体を図１とは別の方向から示す斜視図である。
【図４】図２に示された第１位置決め部を拡大して示す図である。
【図５】（Ａ）〜（Ｄ）は、前記スラブ形成用型枠構造体を構成する枠状部を示す平面面図である。
【図６】図２に示された枠状部の要部を拡大して示す図である。
【図７】図６のＩ−Ｉ線に沿う断面図である。
【図８】図２に示された連結台を拡大して示す図である。
【図９】図８に示された連結台を示す斜視図である。
【図１０】前記スラブ形成用型枠構造体に装着される先端部品を模式的に示す斜視図である。
【図１１】前記スラブ形成用型枠構造体を用いて床スラブを形成する様子を示す上面図である。
【図１２】前記枠状部の変形例を示す断面図である。
【図１３】前記枠状部の他の変形例を示す斜視図である。
【図１４】特許文献１に開示された従来のコンクリート構造物構築用型枠を用いて床スラブを形成する様子を示す側面図である。
【図１５】図１４の次工程を示す図であり、床スラブの完成状態を示す側面図である。
【発明を実施するための形態】
【００２３】
以下、本発明の例示的一態様であるスラブ形成用型枠構造体を、図１〜図１１を参照して説明する。
【００２４】
スラブ形成用型枠構造体は、図１に示すように、コンクリートＣを打設して立上がり壁Ｓを含む床スラブＹを形成するためのものである。以下では、ベランダの床スラブＹの先端部に位置する立上がり壁Ｓを立上がり壁の一例として説明するが、立上がり壁として、屋上の端部に形成された手すり壁（パラペット）にも適用できる。
【００２５】
スラブ形成用型枠構造体１は、図１〜図３に示すように、設置部２（基礎部や下階の床スラブ）に対向配置されて上面にコンクリートＣが打設されるパネル３（図１に示す）と、該パネル３を支持する複数の枠状部４と、複数の枠状部４を連結する複数の連結台５（図３に示す）と、該枠状部４を支持する複数のパイプサポート６（支柱）と、を備えて構成されている。複数の枠状部４は、後述する大引き７（横材）の軸方向に互いに連結されている。以下では、図２、図３に示す後述する腰管８（第１縦材）及び補助管９（第２縦材）の軸方向及びスライド方向を「前後方向」と記し、スライド方向に直交する大引き７の軸方向を「左右方向」と記し、「前後方向」及び「左右方向」に直交する方向であり、パイプサポート６の立設方向を「上下方向」と記す場合がある。図２、図３に示す一例では、枠状部４は２組のみ記載されているが、種々の大きさの床スラブＹに対応させるように、枠状部４は１組或いは３組以上設けられていてもよい。
【００２６】
各枠状部４は、パイプサポート６に支持されて設置部２に対向配置されている。各枠状部４は、図２、図３に示すように、一対の大引き７１、７２（横材）と、複数（３本）の角筒状の腰管８（第１縦材）と、各腰管８をスライド挿入させる複数（３本）の補助管９（第２縦材）と、各腰管８が各補助管９にスライド挿入された任意の位置でこれら腰管８と補助管９とを固定するスライド固定部１０と、を備えている。
【００２７】
一対の大引き７１、７２は、前後に対向して配置されている。一対のうち一方（以下、「第１大引き７１」と記す場合がある）は、建築物Ｂの外壁Ｗに近接して設けられ、一対のうち他方（以下、「第２大引き７２」と記す場合がある）は、建築物Ｂの外壁Ｗから前方に離間した位置に設けられている。第１大引き７１及び第２大引き７２は、略同一形状乃至略同一構成を有している。以下では、「第１大引き７１」及び「第２大引き７２」を総称して「大引き７」と記す場合がある。
【００２８】
各大引き７１、７２は、図２、図３に示すように、上下に対向して設けられた対向壁７３と、対向壁７３を連結する長方形状の板壁７４と、を有し、断面が略コ字状となるように形成されている。第１大引き７１は、対向壁７３が板壁７４より前方に位置する向きで、軸が左右方向に延在するように配置され、第２大引き７２は、対向壁７３が板壁７４より後方に位置する向きで、軸が左右方向に延在するように配置されている。各大引き７１、７２の断面は、軸方向の何れの位置においても略同じ形状となるように形成されている。
【００２９】
また、各大引き７１、７２には、第１位置決め部７５が設けられている。第１位置決め部７５は、図４に示すように、各大引き７１、７２と該大引き７が設置されるパイプサポート６とを位置決めするためのものであるとともに、各大引き７１、７２と各大引き７１、７２が設置される連結台５とを位置決めするためのものである。各第１位置決め部７５は、左右方向の両端に位置する腰管８及び補助管９の固定位置より、各大引き７１、７２の軸方向の各端部側に隣接した位置に設けられている。各第１位置決め部７５は、各大引き７１、７２の対向壁７３から下方に凸状に突出形成されている。
【００３０】
このような第１位置決め部７５がパイプサポート６の（後述の）設置台６０に形成された中央の孔部６４に嵌められることで、各大引き７１、７２と各パイプサポート６は適切な位置に位置決めされる。また、第１位置決め部７５が（後述の）連結台５の位置決め受け部５０に嵌められることで、隣接する大引き７、７は、それぞれ左右方向の適切な位置に位置決めされる。なお、本実施形態では、各大引き７１、７２の対向壁７３から下方に凸状に突出形成された第１位置決め部７５は各大引き７１、７２に形成されているが、本発明はこれに限定されるものではない。第１位置決め部は、各パイプサポート６や連結台５に設けられていてもよい。
【００３１】
このような各大引き７１、７２は、図５（Ａ）、（Ｂ）に示すように、軸寸法Ｌ１が８８０ｍｍ、断面における板壁７４の上下寸法Ｌ２が８０ｍｍ、断面における対向壁７３の左右寸法Ｌ３が４０ｍｍ、位置決め部７５の出寸法Ｌ４が３０ｍｍとなるように形成されている。
【００３２】
各３本の腰管８は、図５（Ａ）、（Ｂ）、（Ｄ）に示すように、軸が前後方向に沿う向きで、左右方向に等間隔をあけて設けられている。また、各腰管８は、後端が第１大引き７１から後方に僅かに突出した位置で、第１大引き７１の上面に溶接固定されている。各３本の腰管８のうち、左右の両端に位置する腰管８は、第１大引き７１の各端部から所定寸法だけ離間した位置に固定されている。
【００３３】
このような各腰管８は、図５（Ａ）、（Ｄ）に示すように、軸寸法Ｌ５が１２００ｍｍ、縦断面における上下寸法Ｌ６が８０ｍｍ、縦断面における左右寸法Ｌ７が４０ｍｍとなるように形成されている。
【００３４】
３本の補助管９は、図５（Ａ）、（Ｂ）、（Ｃ）に示すように、軸が前後方向に沿う向きで、左右方向に等間隔をあけて設けられている。また、各補助管９は、前端が第２大引き７２から前方に所定寸法だけ突出した位置で、第２大引き７２の上面に溶接固定されている。各補助管９は、各腰管８をスライド挿入可能な形状に設けられ、各腰管８と同軸に設けられている。また、各補助管９は、断面がＬ字状に形成されて各腰管８を左右の両側に挟んで支持する一対のスライド部９０、９０と、一対のスライド部９０、９０の前端に設けられて一対のスライド部９０、９０を支持する支持壁９１と、を一体に有して構成されている。一対のスライド部９０、９０は、左右に対向して設けられた左右壁９２、９２と、左右壁９２、９２の各下端に連続して設けられた下壁９３、９３と、を有して形成されている。各補助管９の左右壁９２、９２は各腰管８の左右の両側に位置し、各下壁９３、９３は各腰管８の下方側に位置している。各補助管９の断面は、軸方向の何れの位置においても略同じ形状となるように形成されている。
【００３５】
また、図７に示すように、各補助管９に各腰管８がスライド挿入された状態で、各補助管９の左右壁９２、９２の各内面９２ａ、９２ａと各腰管８の左右の各外面８０ａ、８０ａとが、軸方向の何れの位置においても接触するような寸法に形成されている。
【００３６】
このような各補助管９は、図５（Ａ）、（Ｃ）に示すように、軸寸法Ｌ８が８５５ｍｍ、縦断面における上下寸法Ｌ９が８３．６ｍｍ、縦断面における左右寸法Ｌ１０が４７．４ｍｍとなるように形成されている。
【００３７】
スライド固定部１０は、図６、図７に示すように、各腰管８及び各補助管９を左右方向に貫通する複数のボルト孔１１と、ボルト孔１１に貫通するボルト１２と、ボルト１２に螺合されるナット１３と、を備えて構成されている。ボルト孔１１は、各腰管８の前端部に等間隔をあけて２個形成され、各補助管９の全体に等間隔をあけて８個形成されている。そして、各腰管８が各補助管９にスライド挿入された任意のボルト孔１１の位置でボルト１２及びナット１３を用いてボルト締結されている。このようなスライド固定部１０により、各補助管９に各腰管８がスライド挿入された任意の位置で固定されて、各腰管８及び各補助管９の軸寸法が調節される。
【００３８】
各連結台５は、図８、図９に示すように、左右に隣接する大引き７、７の各端部同士が載置される板状の台座５１と、台座５１それぞれに連続される一対の樋状部５２、５２と、を一体に有して構成されている。
【００３９】
一対の樋状部５２、５２は、台座５１において、左右に向かい合う縁から延出された長方形板状の延出板５３と、延出板５３の前後の両縁それぞれから上方に立設されて、互いの間に各大引き７１、７２を位置させる立設壁部５４、５４と、を有して構成されている。
【００４０】
また、延出板５３には、大引きに形成された第１位置決め部７５を挿入させるための貫通孔である位置決め受け部５０が形成されている。
【００４１】
このような連結台５に、隣接する第１大引き７１、及び隣接する第２大引き７２がそれぞれ載置され、隣接する大引き７、７を立設壁部５４、５４間に進入させつつ台座５１に載置させ、各大引き７１、７２に形成された第１位置決め部７５が位置決め受け部５０に挿入されることで、隣接する大引き７、７が、上下方向、左右方向、及び前後方向の適切な位置に位置決めされる。
【００４２】
さらに各連結台５には、各台座５１に、図８、図９に示すように、各台座５１と該台座５１が設置されるパイプサポート６とを位置決めするための第２位置決め部５５が設けられている。第２位置決め部５５は、各台座５１が設置されるパイプサポート６の設置台６０に形成された中央の孔部６４に嵌められるように、各台座５１から下方に凸状に突出形成された第１凸部５６と、パイプサポート６の設置台６０に形成された４隅の孔部に嵌められるように、各台座５１から下方に凸状に突出形成された４個の第２凸部５７と、を有して構成されている。各第２凸部５７は、台座５１に連続された第２凸部形成片（不図示）が曲げられて形成されている。このような第２位置決め部５５は、パイプサポート６の設置台６０に形成された孔部６４、６５に嵌められて、各台座５１と各パイプサポート６は適切な位置に位置決めされる。なお、本実施形態では、第２位置決め部５５は各台座５１に形成されているが、本発明はこれに限定されるものではない。第２位置決め部は各パイプサポート６に形成されていてもよい。
【００４３】
各スラブ形成用型枠構造体１は、図１０に示すように、各補助管９の先端部に着脱可能なアタッチメント１４（先端部品）をさらに有している。アタッチメント１４は、図１に示すように、バルコニー等の床スラブＹに連続された立上がり壁Ｓを形成するためのものである。アタッチメント１４は、補助管９の軸と同軸に取り付けられる棒状のアタッチメント本体１５と、アタッチメント本体１５の先端から略垂直に立ち上がる立ち上がり部１６と、を備えて略Ｌ字状に形成されている。
【００４４】
パイプサポート６は、筒状の下管６１と、該下管６１に挿抜自在に内嵌される上管６２と、下管６１と上管６２とを任意の位置で固定する固定部６３と、を備えて構成されている。上管６２には、上端に位置して、各連結台５の台座５１や各大引き７１、７２を設置するための設置台６０が設けられている。
【００４５】
続いて、バルコニーの立上がり壁Ｓを含む床スラブＹを形成するためのスラブ形成用型枠構造体１の組立て手順を、図１０、図１１を参照して説明する。
【００４６】
まず、パイプサポート６の上管６２を下管６１に挿入し、固定部６３で所望の挿入位置で固定する。こうして、複数のパイプサポート６が同じ高さになるように調整する。各枠状部４の各補助管９の先端部にアタッチメント１４を装着しておく。また、複数の枠状部４のうち、一部（図示例では１１個）の枠状部４Ａ（４）の各補助管９に各腰管８に任意の第１位置までスライド挿入し、第１の位置で、各補助管９と各腰管８とをボルト１２とナット１３を用いて固定する。残りの一部（図示例では４個）の枠状部４Ｂ（４）の各補助管９に各腰管８に任意の第２位置までスライド挿入し、第２の位置で、各補助管９と各腰管８とをボルト１２とナット１３を用いて固定する。このようにして、前後方向の寸法（軸寸法）が異なる複数（２種類）の枠状部４を形成しておく。
【００４７】
次に、各枠状部４の第１大引き７１が建築物Ｂの外壁Ｗに沿うとともに、各腰管８及び各補助管９の軸方向が前後方向に沿う格好で、第１位置決め部７５をパイプサポート６の設置台６０の中央の孔部６４に挿入しつつ、各枠状部４を各パイプサポート６の設置台６０に設置する。左右に隣接する大引き７、７を連結台５の台座５１に近付け、各樋状部５２に各大引き７をそれぞれ挿入する。この際、各大引き７の第１位置決め部７５を位置決め受け部５０に挿入する。こうして、各大引き７を連結台５に対して、上下方向、左右方向、及び前後方向に位置決めする。さらに、連結台５の第２位置決め部５５の第１凸部５６をパイプサポート６の中央の孔部６４に嵌め込み、４隅の第２凸部５７をパイプサポート６の４隅の孔部６５に嵌め込んで、連結台５とパイプサポート６を適宜な位置に位置決めする。これにより、枠状部４、連結台５、及びパイプサポート６が位置決めされる。こうして、パイプサポート６により枠状部４が支持される。この後、図１０に示すように、各枠状部４の上面に設置部２と対向するようにパネル３Ａ（３）を水平に設置する。また、アタッチメント１４の立ち上がり部１３に支持させつつパネル３Ｂ（３）を垂直に設置する。そして、コンクリートＣを打設する。こうして、バルコニーの立上がり壁Ｓを含む床スラブＹを形成する。
【００４８】
上述した実施形態によれば、腰管８（第１縦材）と補助管９（第２縦材）とが互いの長手方向にスライド可能に設けられ、スライドされた任意の位置で固定可能に設けられている。即ち、腰管８と補助管９とがスライド伸縮可能に設けられているから、腰管８と補助管９とをスライド伸縮させて、腰管８及び補助管９の軸寸法を調節することで、種々の大きさの枠状部４を形成することができる。このように、腰管８及び補助管９の軸寸法を調節した枠状部４を用いることで、種々の大きさの床スラブＹに対応させることができる。従って、施工作業性の向上を図ることができる。また、複数種のスラブ形成用型枠構造体１を製造し管理する場合に比して、製造コストや管理コストの低減を図ることができる。
【００４９】
さらに、枠状部４が、一対の大引き７、７（一対の横材）のうち第１大引き７１（一方）に固定された複数の腰管８（第１縦材）と、一対の大引き７、７（一対の横材）のうち第２大引き７２（他方）に固定された複数の補助管９（複数の第２縦材）と、を有し、腰管８（第１縦材）と補助管９（第２縦材）とが互いの長手方向にスライド可能に設けられ、スライドされた任意の位置で固定可能に設けられているので、各部材が飛散する等が防止され、安全性の向上を図ることができる。
【００５０】
また、パイプサポート６（支柱）には大引き７（横材）が設置される設置台６０が設けられ、設置台６０と大引き７とを位置決めするための第１位置決め部７５が、設置台６０と大引き７とのうち少なくとも何れか一方に設けられている。これによれば、設置台６０と大引き７とのうち少なくとも何れか一方に第１位置決め部７５が設けられていることで、パイプサポート６の設置台６０と大引き７とを適切な位置に位置決めすることができる。
【００５１】
また、枠状部４が複数設けられ、隣接する大引き７（横材）同士を軸方向に連結する連結台５を有し、連結台５には、軸方向に対向配置された大引き７の各端部が載置される板状の台座５１と、軸方向に直交する方向に対向配置されて、互いの間に隣接する大引き７を位置決めする立設壁部５４、５４と、が設けられている。これによれば、隣接する一対の大引き７が台座５１に載置された状態で、隣接する大引き７を立設壁部５４、５４間に進入させつつ台座５１に載置させることで、隣接する一対の大引き７を適切な位置に位置決めすることができる。
【００５２】
また、パイプサポート６（支柱）には連結台５が設置される設置台６０が設けられ、  設置台６０と連結台５とを位置決めするための第２位置決め部５５が、設置台６０と連結台５とのうち少なくとも何れか一方に設けられている。これによれば、パイプサポート６（支柱）の設置台６０と連結台５とを適切な位置に位置決めすることができる。
【００５３】
また、腰管８（第１縦材）と補助管９（第２縦材）とのうち何れか一方の先端部に着脱可能なアタッチメント１４（先端部品）を有し、アタッチメント１４には、腰管８及び補助管９の軸に対して略垂直に立ち上がる立ち上がり部１６が設けられている。これによれば、腰管８と補助管９とのうち何れか一方の先端部に着脱可能なアタッチメント１４を有し、腰管８と補助管９とのうち何れか一方の先端部にアタッチメント１４を装着することで、例えばバルコニーの立上がり壁Ｓを含む床スラブＹを形成するためのスラブ形成用型枠構造体１とすることができる。このようにアタッチメント１４を着脱することで、スラブ形成用型枠構造体１を、種々の場所の床スラブＹに共通して用いることができるから、施工作業性の向上を図りつつ、複数種のスラブ形成用型枠構造体を製造し管理する場合に比して、製造コストや管理コストの低減をより一層、図ることができる。
【００５４】
なお、本発明は、前記実施形態に限定されるものではなく、本発明の目的が達成できる他の構成等を含み、以下に示すような変形例も本発明に含まれる。
【００５５】
上述した実施形態では、各枠状部４の各補助管９の先端部にアタッチメント１４を装着し、バルコニーの立上がり壁Ｓを含む床スラブＹを形成していたが、本発明はこれに限定されるものではない。アタッチメント１４を取り外した状態で、フラットな床スラブを形成するためのスラブ形成用型枠構造体としてもよい。
【００５６】
また、上述した実施形態では、図７に示すように、各補助管９に各腰管８がスライド挿入された状態で、各補助管９の左右壁９２、９２の各内面９２ａと各腰管８の左右の各外面８０ａとが、軸方向の何れの位置においても接触するような寸法に形成されているが、本発明はこれに限定されるものではない。図１２に示すように、各補助管１９に各腰管１８がスライド挿入された状態で、補助管１９の左右壁９２、９２から腰管１８に向けて突出形成されて、腰管１８の左右の外面８０ａに当接する当接部１７が設けられていてもよい。または、当接部１７は、腰管１８の左右の外面８０ａから補助管１９の左右壁９２、９２の内面９２ａに向けて突出形成されていていてもよい。これによれば、当接部１７が設けられていることで、腰管１８（第１縦材）が補助管１９（第２縦材）にスライド挿入された状態で、腰管１８が補助管１９に対して、当接部１７の突出方向である腰管１８と補助管１９の軸に直交する方向に位置決めされる。また、当接部１７が設けられていることで、腰管１８と補助管１９の接触面積が小さくされるから、小さな力で、腰管１８を補助管１９に対してスライド移動させることができる。従って、作業性の向上を図ることができる。
【００５７】
さらに、各腰管１８は、図１２に示すように、その内部に上下に延在形成されて各腰管１８を補強するための補強壁２０を有していてもよい。補強壁２０は、左右方向の中央部に位置していてもよい。
【００５８】
上述した実施形態では、各腰管８が各補助管９にスライド挿入された任意のボルト孔１１の位置でボルト１２及びナット１３を用いてボルト締結されている。これにより、各補助管９に各腰管８がスライド挿入された任意の位置で固定されて、各腰管８及び各補助管９の軸寸法が調節されるが、本発明はこれに限定されるものではない。例えば、各補助管９に軸方向に連続される長孔（不図示）が形成され、各腰管８から棒状に突出された螺子部が長孔に挿入されて、各腰管８が各補助管９にスライド挿入された任意の位置で螺子部にナット１３を螺合させて、各腰管８と各補助管９とを固定してもよい。
【００５９】
または、図１３に示すように、長孔１１０の内縁に形成されているとともに該長孔１１０が延在する前後方向に形成された複数の歯部１１２と、歯部１１２に歯合するギア部１１１と、を備え、ギア部１１１は、順方向への回転を許容し、逆方向への回転を規制するようなラチェット機構を有していてもよい。これにより、各補助管９に各腰管８がスライド挿入された任意の位置で固定されて、各腰管８及び各補助管９の軸寸法が調節されてもよい。
【００６０】
また、上述した実施形態では、各腰管８が各補助管９に挿入される一例について説明したが、本発明はこれに限定されるものではない。各補助管９が各腰管８に挿入されるように構成されていてもよい。
【００６１】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想及び、目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００６２】
１          スラブ形成用型枠構造体
３          パネル
４          枠状部
５          連結台
６          パイプサポート（支柱）
７          一対の大引き（横材）
８、１８    複数の腰管（第１縦材）
９、１９    複数の補助管（第２縦材）
１４        アタッチメント（先端部品）
１６        立ち上がり部
５１        台座
５４        立設壁部
５５        第２位置決め部
６０        設置台
７５        第１位置決め部
Ｃ          コンクリート
Ｓ          立上がり壁
Ｙ          床スラブ
【図１】
2019116787.tif 000003
【図２】
2019116787.tif 000004
【図３】
2019116787.tif 000005
【図４】
2019116787.tif 000006
【図５】
2019116787.tif 000007
【図６】
2019116787.tif 000008
【図７】
2019116787.tif 000009
【図８】
2019116787.tif 000010
【図９】
2019116787.tif 000011
【図１０】
2019116787.tif 000012
【図１１】
2019116787.tif 000013
【図１２】
2019116787.tif 000014
【図１３】
2019116787.tif 000015
【図１４】
2019116787.tif 000016
【図１５】
2019116787.tif 000017